(57)【要約】【課題】体を覆うパレオを、露天風呂や海辺、プールサイドなどで素肌に浴びてしまう紫外線を防止したり、防雨する目的の帽子に変化させることができ、なおかつ携帯便利なものを提供する。【解決手段】帽子にも使えるパレオの、Ｕの字形の布体裏側外周縁部に見返しをつけ左右両端に嵌通された紐体を縮めると、裾部分の弧状に挿着された弾性材が布体を弓形の板状体に残すためそれがひさし部分となり、布体中央がクラウン部となった帽子が形成される。携帯時には、パレオとして身に着けたままでもよく、また一枚の布状体にすれば小さく畳み運ぶことができる。【選択図】図１
2010053466.tif 000002
【特許請求の範囲】
【請求項１】
帽子にもなるパレオであって、Ｕの字形の布体の底部に円弧状を保持するための弾性部材を備え、布体の左右の縁部に係止具を付けた紐体を通し、その紐体の一端を弾性部材の両端近傍で固定し、伸縮材の中央部を布体または芯材に固定したベルトと芯材からなるベルト部とで構成されたことを特徴とする帽子にも使えるパレオ。
【発明の詳細な説明】
【技術分野】
【０００１】
本発明は帽子にも使用できる水着などの上に羽織るパレオに関する。
【背景技術】
【０００２】
従来のパレオは水着などの上にさまざまな形態で羽織る布状のものであるが、それを帽子としても使えるパレオはない。しかしながらパレオではないが、一枚のシートなどから帽子にできるものには、たとえば特許文献１があり、携帯に便利な布製で折畳める帽子には特許文献２がある。
【特許文献１】登録実用新案第３０３２４４２号公報
【特許文献２】実開平８−００２９０号公報
【発明の開示】
【発明が解決しようとする課題】
【０００３】
パレオを使用する場所は海辺やプールサイドなどであるから、当然、直射日光を素肌に受けることになり、オゾン層破壊が問題視されている昨今、有害な紫外線から身を守るための手段のひとつである日よけ帽子が必要となる。しかしながら従来のパレオは、日よけのための帽子として使えるものは無かった。特許文献１及び特許文献２はシート又は布から作る日よけ帽子であるが、パレオとして使えるものではない。
【０００４】
本発明は、上記課題を解決し、身に着けているパレオを紫外線防止や防雨のための帽子にも使えるパレオを開発することを課題とした。
【課題を解決するための手段】
【０００５】
本発明は上記課題を解決するために、帽子にもなるパレオであって、Ｕの字形の布体の底部に円弧状を保持するための弾性部材を備え、布体の左右の縁部に係止具を付けた紐体を通し、その紐体の一端を弾性部材の両端近傍で固定し、伸縮材の中央部を布体または芯材に固定したベルトと芯材からなるベルト部とで構成されたことを特徴とする。
【発明の効果】
【０００６】
本発明の帽子にも使えるパレオは、体を覆っていたパレオを、わずかな操作でひさし付きの帽子に変化させることができるので、海水浴場などで紫外線が強いときや突然の降雨時にも、便利である。
【０００７】
本発明の帽子にも使えるパレオは、携帯するときには、一枚の布状態に戻せることから、パレオとして身に着けたままでも、また小さく折り畳んででも運ぶことができる。
【発明を実施するための最良の形態】
【０００８】
本発明の実施の形態を実施例にもとづき、以下図面を参照しつつ詳細に説明する。
【実施例】
【０００９】
図１に示した本発明の実施例では、布体１は市販の薄地のポリエステルと綿の混紡生地を使い、布用の紫外線防止と撥水と撥油が可能になるスプレーで加工した。生地を選択する際に、水に濡れる場所での使用を考慮して撥水性のある紫外線をカットする素材のたとえば晴雨兼用傘の布地などを使用するのが望ましいがこれに限定するものではない。
【００１０】
一般的な帽子はクラウン部の端から端までの大きさが最大でも約３７センチメートル程度である。ひさし部分は日よけの効果を望む場合には約１０センチメートル以上が必要になる。これらを考慮し布体１の大きさを決めるためには、帽子を平面状にして円形と考えれば、布体の縦と横は帽子の直径に等しい長さとなる。標準的な女性用の帽子を製作するとして、クラウン部を約３３センチメートル、ひさし部分を約１０センチメートルとした場合に、直径は約４３センチメートルとなる。よって実施例では布体１の大きさを横幅約４３センチメートル、縦寸法も約４３センチメートルの出来上がり寸法とした。
【００１１】
従って本発明の製作に必要となる布体の裁断寸法は、実施例においては、縦寸法は出来上がり寸法約４３センチメートルと、二つ折りにした幅約３センチメートルのベルト部２の約６センチメートル分を足した約４９センチメートルとした。横幅は約４３センチメートルとした。布体１の外周縁部に縫合するためのＵの字形の見返し部分を幅約１．５センチメートルとした。ベルト部２の中にある内側ベルト８については、二つ折りで幅約２．５センチメートルになる長さ約２５センチメートルの布を二枚必要とした。それぞれの部分に縫い代を約１センチメートルつけて布体を裁断した。
【００１２】
ベルト部２は、中央に伸縮材を縫着させた内側ベルト８をスムーズに伸縮させるために中に芯材を使用した。芯材は幅が約６センチで約４３センチメートルの長さものを幅方向に二つ折りし幅約２．８センチメートルの筒状になるように縫合したあと布体１の上部縫い代に縫着させた。一般的にはベルト用の芯材はナイロン素材などの固い布製だが、パレオの使用場所と帽子の軽量化とを考えた場合、実施例ではネット状のポリエステル素材の芯地を使用した。内側ベルト８の伸縮材には幅約１．５センチメートルのゴムテープを約１０センチメートル用いて、内側ベルト８用の布で左右を縫い止めた。またベルト留め６と留め具９に面ファスナーを使用したがこれらの材料は、生地の特性により適宜決定すればよい。
【００１３】
布体１と見返し部分とを、紐体５とひさし形成用弾性部材７を入れるための挿入口１０を残し中空状に縫着させた。見返し両端でベルト部２の下約１センチメートルの場所に紐体出口１１を作った。見返し部分の挿入口１０から、左右それぞれに紐体５を紐体出口１１まで挿通させてから、挿入口１０で紐体５の一端を縫い止めた。紐体出口１１から出した紐体５にコードストッパーを取り付けた。紐材はここではナイロン製の江戸打紐を使用したが、水に濡れても滑りの変わらないものならば良いとする。
【００１４】
見返しにパレオ裾部兼帽子ひさし部３を円弧状に保持させるためのひさし形成用弾性部材７を挿通させて挿入口１０を縫合した。実施例では弧の長さが約６０センチメートルとなったのでひさし形成用弾性部材７は太さ約２．４ミリメートルのナイロンコードを約６０センチメートル使用したが、細くて、軽く丈夫であればこれに限るものではない。
【００１５】
本発明の帽子にも使えるパレオを帽子の形にするための手順は、まず図２に示すように、紐体５を引き縮めることにより布体１が膨らみ、帽子のクラウン部へと変化しつつ、ひさし形成用弾性部材７により円弧状を保持しているので帽子のひさし部分が出来上がる。帽子として使用するときに、クラウン部のトップからひさし部分が連続した斜めの形状でひさしができるため、ひさし部分を約１０センチメートルとしたが実際にはひさしとしての深さが約１４センチメートルとなった。
【００１６】
内側ベルト８はサイズ調整用ゴムテープが取り付けられているので、帽子として使用する時には縮み両端の残り寸法は短くできて、図３に示すように両端はベルト留め６によりパレオ裾部兼帽子ひさし部３に留め置けるようにした。また、引き縮めて外に出てきた紐体５はクラウン部をフィットさせるために頭上で結ぶか、風の強いときにはあご紐としても利用できる。
【図面の簡単な説明】
【００１７】
【図１】本発明の実施例の説明図である。
【図２】帽子にするための手順の説明図である。
【図３】帽子に変形させた時の説明図である。
【符号の説明】
【００１８】
１    布体
２    ベルト部
３    パレオ裾部兼帽子ひさし部
４    コードストッパー
５    紐体
６    ベルト留め
７    ひさし形成用弾性部材
８    内側ベルト
９    留め具
１０  挿入口
１１  紐体出口
【図１】
2010053466.tif 000003
【図２】
2010053466.tif 000004
【図３】
2010053466.tif 000005
【手続補正書】
【提出日】平成21年1月16日(2009.1.16)
【手続補正１】
【補正対象書類名】特許請求の範囲
【補正対象項目名】全文
【補正方法】変更
【補正の内容】
【特許請求の範囲】
【請求項１】
帽子にもなる伸縮可能なベルト部を有するパレオであって、Ｕの字形の布体の底部に円弧状を保持するための弾性部材を備え、布体の左右縁部は紐体を挿通可能とし、通した紐体の一端は弾性部材の両端近傍で固定してあり、他端には左右の紐体出口より引き縮め時に長さを維持するための係止具を有し、短くすると同時にひさし部とクラウン部が形成されるもので、パレオのベルト部においては、両端に留具を有し、ひさし部に設けられたベルト留に留め置くことにより帽子としての形状が完成されることを特徴とする帽子にも使えるパレオ。
【手続補正２】
【補正対象書類名】明細書
【補正対象項目名】０００５
【補正方法】変更
【補正の内容】
【０００５】
本発明は上記課題を解決するために、帽子にもなる伸縮可能なベルト部を有するパレオであって、Ｕの字形の布体の底部に円弧状を保持するための弾性部材を備え、布体の左右縁部は紐体を挿通可能とし、通した紐体の一端は弾性部材の両端近傍で固定してあり、他端には左右の紐体出口より引き縮め時に長さを維持するための係止具を有し、短くすると同時にひさし部とクラウン部が形成されるもので、パレオのベルト部においては、両端に留具を有し、ひさし部に設けられたベルト留に留め置くことにより帽子としての形状が完成されることを特徴とする。